(57)【要約】【課題】型くずれしないティシュペーパー包装体を提供する。【解決手段】  フィルム包装ティシュー製品を、段ボール製の収納箱内に収納したフィルム包装ティシュー製品収納体であり、収納箱が、対向する一対の長側面部と、これら長側面部に連接する対向する一対の短側面部と、長側面部から延出する長側面部天面側フラップ及び短側面部から延出する短側面部天面側フラップを閉じることで形成される天面部と、長側面部から延出する長側面部底面側フラップ及び短側面部から延出する短側面部底面側フラップを閉じることで形成される底面部と、を有する直六面体形状であり、その短側面部天面側フラップ端から短側面部を経て短側面部底面側フラップ端に至る一対の第一易開封線及び、各短側面部天面側フラップ端から各短側面部を経て一方の長側面部において繋がる第二易開封線の少なくとも一方を有する、フィルム包装ティシュー製品収納体により解決される。【選択図】図６
2020059529.tif 000002
【特許請求の範囲】
【請求項１】
複数のティシュペーパーが折り畳み積層されたポップアップ式の略直方体形状のティシュペーパー束が、柔軟な樹脂製の包装フィルムによって包装されているフィルム包装ティシュペーパーを、ティシュペーパー束のティシュペーパー積層方向に複数個整列に纏めてガセット包装したフィルム包装ティシュー製品を、段ボール製の収納箱内に整列に収納したフィルム包装ティシュー製品収納体であって、
前記収納箱が、対向する一対の長側面部と、これら長側面部に連接する対向する一対の短側面部と、長側面部から延出する長側面部天面側フラップ及び短側面部から延出する短側面部天面側フラップを閉じることで形成された天面部と、長側面部から延出する長側面部底面側フラップ及び短側面部から延出する短側面部底面側フラップを閉じることで形成された底面部と、を有する直六面体形状であり、
その短側面部天面側フラップ端から短側面部を経て短側面部底面側フラップ端に至る一対の第一易開封線及び、各短側面部天面側フラップ端から各短側面部を経て一方の長側面部において繋がる第二易開封線の少なくとも一方を有し、
第一易開封線又は第二易開封線の裂開によって収納箱の一部が切り欠かれ、収納箱に収納された整列状態のフィルム包装ティシュー製品の一部が露出される、
ことを特徴とする、フィルム包装ティシュー製品収納体。
【請求項２】
前記第一易開封線及び第二易開封線を有し、少なくとも前記第一易開封線における短側面部天面側フラップに位置する部分と、前記第二易開封線における短側面部天面側フラップに位置する部分とが、共通とされている、請求項１記載のフィルム包装ティシュー製品収納体。
【請求項３】
一対の第一易開封線の一方の短側面部に位置する部分に、第二易開封線を有する長側面部と反対に向かって凸となる摘み部が形成されている、請求項２記載のフィルム包装ティシュー製品収納体。
【請求項４】
一対の第一易開封線の一方の短側面部に位置する部分に、第二易開封線を有する長側面部に向かって凸となる摘み部が形成されている、請求項２記載のフィルム包装ティシュー製品収納体。
【請求項５】
第二易開封線の長側面部に位置する部分に、底面側に向かって凸となる摘み部が形成されている、請求項１〜４の何れか１項に記載のフィルム包装ティシュー製品収納体。
【請求項６】
束のティシュペーパー積層方向が、長側面部間方向となるようにしてフィルム包装ティシュー製品が収納箱内に収納されている、請求項１〜５の何れか１項に記載のフィルム包装ティシュー製品収納体。
【請求項７】
前記ガセット包装が取っ手部を有するものであり、この取っ手部が、開封により収納箱に形成される開口側に向くようにして配列されている、請求項１〜６の何れか１項に記載のフィルム包装ティシュー製品収納体。
【請求項８】
複数のティシュペーパーが折り畳み積層されたポップアップ式の略直方体形状のティシュペーパー束が、柔軟な樹脂製の包装フィルムによって包装されているフィルム包装ティシュペーパーを、ティシュペーパー束のティシュペーパー積層方向に複数個整列に纏めてガセット包装したフィルム包装ティシュー製品を収納するための、段ボール製の収納箱であって、
前記収納箱は、対向する一対の長側面部と、これら長側面部に連接する対向する一対の短側面部と、長側面部から延出する長側面部天面側フラップ及び短側面部から延出する短側面部天面側フラップを閉じることで形成される天面部と、長側面部から延出する長側面部底面側フラップ及び短側面部から延出する短側面部底面側フラップを閉じることで形成される底面部と、を有し、組み立てにより直六面体形状となり、
その短側面部天面側フラップ端から短側面部を経て短側面部底面側フラップ端に至る一対の第一易開封線及び、各短側面部天面側フラップ端から各短側面部を経て一方の長側面部において繋がる第二易開封線の少なくとも一方を有し、
第一易開封線又は第二易開封線の裂開によって収納箱の一部が切り欠かれ、収納箱に収納された整列状態のフィルム包装ティシュー製品の一部が露出されるようにした、
ことを特徴とする、フィルム包装ティシュー製品用収納箱。
【請求項９】
前記第一易開封線及び第二易開封線を有し、少なくとも前記第一易開封線における短側面部天面側フラップに位置する部分と、前記第二易開封線における短側面部天面側フラップに位置する部分とが、共通とされている、請求項８記載のフィルム包装ティシュー製品用収納箱。
【請求項１０】
一対の第一易開封線の一方の短側面部に位置する部分に、第二易開封線を有する長側面部と反対に向かって凸となる摘み部が形成されている、請求項９記載のフィルム包装ティシュー製品用収納箱。
【請求項１１】
一対の第一易開封線の一方の短側面部に位置する部分に、第二易開封線を有する長側面部に向かって凸となる摘み部が形成されている、請求項９記載のフィルム包装ティシュー製品用収納箱。
【請求項１２】
第二易開封線の長側面部に位置する部分に、底面側に向かって凸となる摘み部が形成されている、請求項９〜１１の何れか１項に記載のフィルム包装ティシュー製品用収納箱。
【発明の詳細な説明】
【技術分野】
【０００１】
本発明は、ティシュペーパーを折り畳み積み重ねたティシュペーパー束を柔軟な包装フィルムで包装したフィルム包装ティシューを複数個まとめて包装したフィルム包装ティシュー製品を収納箱に納めた収納体及びフィルム包装ティシュー製品を収納するための収納箱に関する。
【背景技術】
【０００２】
従来のティシュペーパー包装体は、カートン箱と言われる紙製の収納箱に、ティシュペーパー束が内包されているボックスティシューといわれるものが主流であった。
【０００３】
近年、環境への配慮による包装資材の削減、コンパクト化による輸送コストや携帯性の改善を目的として、ティシュペーパー束を樹脂製の柔軟な包装フィルムによって包装したフィルム包装ティシューといわれるティシュペーパー包装体も普及しつつある。
【０００４】
しかし、このフィルム包装ティシューは、柔軟なティシュペーパーの束が柔軟な包装フィルムで包装されているためボックスティシューと比べると形状保持性に劣る。
【０００５】
ティシュペーパー包装体は、一般に三〜五個パックを纏めて集合包装（パック包装ともいわれる）した製品形体で、販売店の店先や店頭に多数個を山積みして販売されることが多い。
【０００６】
しかし、このような店頭等で山積みされるのはボックスティシューを集合包装した製品が直方体形状であるとともに、ある程度の剛性があって形状保持性に優れ、山積みに適しているためである。しかし、フィルム包装ティシューを複数個集合包装した製品は、形状保持性に劣るため店頭山積み、特に多数段高く積むことが難しい。このため、フィルム包装ティシューは、コンパクト化及び低コスト化の利点があるにもかかわらず、店頭山積みといった低コスト品の大量販売に適した販売形態に対応できていないという問題があった。また、店舗においては、フィルム包装ティシューを店頭に並べるべく、陳列スペースに応じて、いわゆる当て板等の補助板を用いて、崩れないように手間をかけて一つずつ積み重ねて陳列することなども行われているが、作業負荷が高いという問題がある。
【先行技術文献】
【特許文献】
【０００７】
【特許文献１】特開２０１０−１９５４４３号公報
【発明の概要】
【発明が解決しようとする課題】
【０００８】
そこで、本発明の主たる課題は、フィルム包装ティシュー製品を店頭や店先に陳列しやすくした、フィルム包装ティシュー製品収納体及びフィルム包装ティシュー製品用の収納箱を提供することにある。
【課題を解決するための手段】
【０００９】
上記課題を解決するための手段は次のとおりである。
【００１０】
その第一の手段は、
複数のティシュペーパーが折り畳み積層されたポップアップ式の略直方体形状のティシュペーパー束が、柔軟な樹脂製の包装フィルムによって包装されているフィルム包装ティシュペーパーを、ティシュペーパー束のティシュペーパー積層方向に複数個整列に纏めてガセット包装したフィルム包装ティシュー製品を、段ボール製の収納箱内に整列に収納したフィルム包装ティシュー製品収納体であって、
前記収納箱が、対向する一対の長側面部と、これら長側面部に連接する対向する一対の短側面部と、長側面部から延出する長側面部天面側フラップ及び短側面部から延出する短側面部天面側フラップを閉じることで形成された天面部と、長側面部から延出する長側面部底面側フラップ及び短側面部から延出する短側面部底面側フラップを閉じることで形成された底面部と、を有する直六面体形状であり、
その短側面部天面側フラップ端から短側面部を経て短側面部底面側フラップ端に至る一対の第一易開封線及び、各短側面部天面側フラップ端から各短側面部を経て一方の長側面部において繋がる第二易開封線の少なくとも一方を有し、
第一易開封線又は第二易開封線の裂開によって収納箱の一部が切り欠かれ、収納箱に収納された整列状態のフィルム包装ティシュー製品の一部が露出される、
ことを特徴とする、フィルム包装ティシュー製品収納体である。
【００１１】
第二の手段は、
前記第一易開封線及び第二易開封線を有し、少なくとも前記第一易開封線における短側面部天面側フラップに位置する部分と、前記第二易開封線における短側面部天面側フラップに位置する部分とが、共通とされている、上記第一の手段に係るフィルム包装ティシュー製品収納体である。
【００１２】
第三の手段は、
一対の第一易開封線の一方の短側面部に位置する部分に、第二易開封線を有する長側面部と反対に向かって凸となる摘み部が形成されている、上記第二の手段に係るフィルム包装ティシュー製品収納体である。
【００１３】
第四の手段は、
一対の第一易開封線の一方の短側面部に位置する部分に、第二易開封線を有する長側面部に向かって凸となる摘み部が形成されている、上記第二の手段に係るフィルム包装ティシュー製品収納体である。
【００１４】
第五の手段は、第二易開封線の長側面部に位置する部分に、底面側に向かって凸となる摘み部が形成されている、上記第一〜第四の手段に係るフィルム包装ティシュー製品収納体である。
【００１５】
第六の手段は、
束のティシュペーパー積層方向が、長側面部間方向となるようにしてフィルム包装ティシュー製品が収納箱内に収納されている、上記第一〜第五の手段に係るフィルム包装ティシュー製品収納体である。
【００１６】
第七の手段は、
前記ガセット包装が取っ手部を有するものであり、この取っ手部が、開封により収納箱に形成される開口側に向くようにして配列されている、上記第一〜第六の手段に係るフィルム包装ティシュー製品収納体である。
【００１７】
第八の手段は、
複数のティシュペーパーが折り畳み積層されたポップアップ式の略直方体形状のティシュペーパー束が、柔軟な樹脂製の包装フィルムによって包装されているフィルム包装ティシュペーパーを、ティシュペーパー束のティシュペーパー積層方向に複数個整列に纏めてガセット包装したフィルム包装ティシュー製品を収納するための、段ボール製の収納箱であって、
前記収納箱は、対向する一対の長側面部と、これら長側面部に連接する対向する一対の短側面部と、長側面部から延出する長側面部天面側フラップ及び短側面部から延出する短側面部天面側フラップを閉じることで形成される天面部と、長側面部から延出する長側面部底面側フラップ及び短側面部から延出する短側面部底面側フラップを閉じることで形成される底面部と、を有し、組み立てにより直六面体形状となり、
その短側面部天面側フラップ端から短側面部を経て短側面部底面側フラップ端に至る一対の第一易開封線及び、各短側面部天面側フラップ端から各短側面部を経て一方の長側面部において繋がる第二易開封線の少なくとも一方を有し、
第一易開封線又は第二易開封線の裂開によって収納箱の一部が切り欠かれ、収納箱に収納された整列状態のフィルム包装ティシュー製品の一部が露出されるようにした、
ことを特徴とする、フィルム包装ティシュー製品用収納箱である。
【００１８】
第九の手段は、
前記第一易開封線及び第二易開封線を有し、少なくとも前記第一易開封線における短側面部天面側フラップに位置する部分と、前記第二易開封線における短側面部天面側フラップに位置する部分とが、共通とされている、上記第八の手段に係るフィルム包装ティシュー製品用収納箱である。
【００１９】
第十の手段は、
一対の第一易開封線の一方の短側面部に位置する部分に、第二易開封線を有する長側面部と反対に向かって凸となる摘み部が形成されている、上記第九の手段に係るフィルム包装ティシュー製品用収納箱である。
【００２０】
第十一の手段は、
一対の第一易開封線の一方の短側面部に位置する部分に、第二易開封線を有する長側面部に向かって凸となる摘み部が形成されている、上記第九の手段に係るフィルム包装ティシュー製品用収納箱である。
【００２１】
第十二の手段は、第二易開封線の長側面部に位置する部分に、底面側に向かって凸となる摘み部が形成されている、上記第九〜第十一の手段に係るフィルム包装ティシュー製品用収納箱である。
【発明の効果】
【００２２】
以上の本発明によれば、フィルム包装ティシュー製品を店頭や店先に陳列しやすくした、フィルム包装ティシュー製品収納体及びフィルム包装ティシュー製品用の収納箱が提供される。
【図面の簡単な説明】
【００２３】
【図１】本発明に係るフィルム包装ティシューの例を示す斜視図である。
【図２】本発明に係るティシュペーパー束を説明するための斜視図である。
【図３】本発明に係るフィルム包装ティシュー製品を説明するための図である。
【図４】本発明に係る他のフィルム包装ティシュー製品を説明するための図である。
【図５】本発明に係るフィルム包装ティシュー製品用収納箱の展開状態を示す平面図である。
【図６】本発明に係るフィルム包装ティシュー製品用収納体及び収納箱の組み立て状態を示す図である。
【図７】本発明に係るフィルム包装ティシュー製品収納体及びその陳列形態を示す図である。
【図８】本発明に係る他のフィルム包装ティシュー製品収納体及びその陳列形態を示す図である。
【図９】本発明に係る他のフィルム包装ティシュー製品用収納箱の展開状態を示す平面図である。
【図１０】本発明に係る別のフィルム包装ティシュー製品用収納箱の展開状態を示す平面図である。
【発明を実施するための形態】
【００２４】
以下、本発明の実施形態を図１〜図１０を参照しながら説明する。
【００２５】
本発明に係るフィルム包装ティシュー製品収納体１１は、フィルム包装ティシュペーパー１を複数個整列に纏めてガセット包装したフィルム包装ティシュー製品１０を、段ボール製のるフィルム包装ティシュー製品用収納箱５０に整列に収納したものである。なお、本発明に係るフィルム包装ティシュー製品用収納箱については、フィルム包装ティシュー製品収納体の説明中において適宜に説明する。
【００２６】
本発明に係るフィルム包装ティシュー１は、複数組のティシュペーパー２を折り畳み重ねてなるティシュペーパー束３が柔軟性のある樹脂製の包装フィルム４によって包装されているものである。
【００２７】
本発明に係るフィルム包装ティシュー１において内包されているティシュペーパー束３は、ティシュペーパー２が二つ折りされ、その折り返した内側２Ａに上下に位置する他のティシュペーパー２の折り返した片２Ｂが位置するようにして、複数のティシュペーパー２が折り畳み積層されたものであり、最上位に位置する一枚の折り返し片を上方に引き上げると、その直下で隣接する他の一枚の折り返し片が、上方に引きずられて持ち上げられる所謂ポップアップ式のティシュペーパー束３である。このティシュペーパー束３は、マルチスタンド式、ロータリ式の既知のインターフォルダにより製造することができる。
【００２８】
他方、この本発明に係るティシュペーパー束３は、各ティシュペーパーの折り返し縁２Ｃが並ぶ一対の長手側面３Ｂと、折り返し縁２Ｃが並ばない一対の短手側面３Ａとを有し、さらに短手側面３Ａと長手側面３Ｂとに連接する一対の平面（上下面）３Ｃを有する略直方体形状をなしている。また、柔らかいティシュペーパー２で構成されているため柔軟性があり圧縮変形しやすい。
【００２９】
ティシュペーパー束３を構成するティシュペーパー２の組数は限定されるものではないが、ティシュペーパー製品では、一般的には２プライ（２枚重ね）を１組として１２０〜２４０組であり、本実施形態のフィルム包装ティシュー１においても同様に１２０〜２４０組とすることができる。
【００３０】
ティシュペーパー２の束３を構成する個々のティシュペーパー２は、クレープを有する２枚〜３枚の薄葉紙が積層されて組とされたプライ構造を有する。このティシュペーパー２は、乾燥されたドライタイプのものであり、薬液が含浸されている所謂ウェットタイプのものではない。したがって、ティシュペーパー２により形成される上記の束３は多くの空気を含むものである。なお、ドライタイプのティシュペーパー２においても、保湿剤等が付与されている薬液付与タイプのものがあるが、本発明は特に保湿剤などが塗布されていない非保湿の汎用タイプのティシュペーパー２に適する。
【００３１】
ティシュペーパー２を構成する薄葉紙の原料パルプとしては、ＮＢＫＰとＬＢＫＰとを配合したものである。古紙パルプが配合されていてもよいが、風合いなどの点で、ＮＢＫＰとＬＢＫＰのみから構成されているのがよい。配合割合としては、ＮＢＫＰ：ＬＢＫＰ＝２０：８０〜８０：２０がよく、特に、ＮＢＫＰ：ＬＢＫＰ＝３０：７０〜６０：４０がよい。
【００３２】
ティシュペーパー２の各プライを構成する薄葉紙１枚あたりの坪量は１０〜２５ｇ／ｍ2である。本実施形態のティシュペーパー２において好ましい汎用タイプのものは、１０〜１６ｇ／ｍ2である。ここでの坪量は、ＪＩＳ Ｐ ８１２４（１９９８）の測定方法によるものをいう。また、ティシュペーパー２の紙厚は、２プライの状態で９０〜１７０μｍ、より好ましくは９０〜１４０μｍである。ここでの紙厚は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて２プライの状態で測定した値をいう。
【００３３】
本発明に係るフィルム包装ティシュー１の包装形態は、既知の包装種から選択される。例えば、オーバーラップ包装、三方閉じ包装、四方閉じ包装、ガセット包装、ピロー包装が例示できる。オーバーラップ包装は、キャラメル包装又は合せ包み包装とも称される包装形態であり、図１及び図２に示すように、被包装物となる束３を包装フィルム４で筒型に巻き込むようにして包み、その巻き込み方向において重畳する部分において上下層のフィルムを融着処理や接着剤によって接着し、さらに被包装物である束３を越えて延び出した部分を、対向する２つの縁から前記被包装物側に折り込み、その際に形成される略三角形又は略台形の片４Ｃの少なくとも各先端縁部同士を融着処理や接着剤によって接着して、筒開口を封止してなる包装態様である。
【００３４】
他方、本実施形態のフィルム包装ティシュー１では、包装フィルム４の束３の最上位のティシュペーパー２に対面する位置に開封用ミシン目５が形成されている。この開封用ミシン目５は、直線状のものでもよいが、環状に形成して細長い開口部が形成されるようにしてもよい。なお、開封用ミシン目５が剥離可能なシール材によって被覆されていてもよい。本実施形態では、ティシュペーパー束３がポップアップ式であるため、開口の形成により束３の最上位のティシュペーパー２を引き出すと、その直近下方に位置する次のティシュペーパーの一部が開口より露出されるものとなる。
【００３５】
包装フィルム４を構成する具体的な柔軟性のある樹脂製のフィルム材は、ポリエチレンフィルム、ポリプロピレンフィルム、ポリエステルフィルム、ポリエチレンテレフタレートフィルム、ナイロンフィルム、塩化ビニリデンフィルム、エチレンビニルアルコール共重合体の単層フィルム、または、それらのフィルムを含む適宜積層されたラミネートフィルムや、それらのフィルムにアルミ蒸着などの表面処理を施したガスバリアフィルムが例示できる。但し、コストの観点からはポリプロピレンフィルム、ポリエチレンフィルムが好適である。フィルム材の厚さは、柔軟性、コスト、気体透過度、包装時における熱融着性を考慮して適宜に選択する。
【００３６】
本発明に係るフィルム包装ティシュー製品１０は、上記のフィルム包装ティシュー１が、そのティシュペーパー束３のティシュペーパー積層方向に複数個整列に並べられてなる略直方体形状の集合体をガセット包装したものである。なお、図３及び図４に示す形態では、５個のフィルム包装ティシューを一組としてガセット包装しているが、フィルム包装ティシュー製品１０を構成するフィルム包装ティシュー１の個数は、５個に限定されるわけではない。２個以上であればよい。また、上記の集合体をガセット包装する態様としては、図３に示すように、ガセットのマチ部分１６がフィルム包装ティシュー１の天面及び底面に対面するように位置し、熱融着等により形成されるガセットの封止部１７が、フィルム包装ティシュー１の短側面が並ぶ面に対面するよう態様であってもよいし、図３に示すように、ガセットのマチ部分１６がフィルム包装ティシュー１の短側面部が並ぶ面に対面するように位置し、熱融着等により形成されるガセットの封止部１７が、フィルム包装ティシュー１の最上部の天面と最下部の底面に対面する態様であってもよい。ガセット包装内におけるフィルム包装ティシュー１の配列態様は特に限定されない。なお、図３は、オーバーラップ包装のフィルム包装ティシュー１をガセット包装したものであり、図４は、ピロー包装のフィルム包装ティシュー１を包装したものであるが、フィルム包装ティシュー１の包装形態と、ガセット包装内における配置態様はこの組み合わせに限定されるわけではない。なお、図３に示す形態の場合、一般的な製品の大きさは、幅１５０〜２５０ｍｍ、奥行き８０〜１３０ｍｍ、高さ１５０〜３５０ｍｍである。図４に示す形態の場合は、幅１５０〜３５０ｍｍ、奥行き８０〜１３０ｍｍ、高さ１５０〜２５０ｍｍである。
【００３７】
本発明に係るガセット包装では、図３及び図４に示すように、一方の封止部１７から延在する取っ手部１９が形成されているものであるのが望ましい。取り扱い性、持ち運び性に優れたものとなる。また、ガセット包装に用いるフィルム１８は上記のフィルム包装用ティシュー用の包装フィルム４と同様のフィルムから選択することができる。
【００３８】
本発明に係る収納箱５０は、段ケース、段ボール又は段ボールケースと称される段ボール製の収納箱５０であり、図５に展開状態、図６に組み立て状態を示すように、対向する一対の長側面部５１，５１と、これら長側面部５１，５１に連接する対向する一対の短側面部５２，５２と、長側面部５１，５１から延出する長側面部天面側フラップ５３，５３及び短側面部５２，５２から延出する短側面部天面側フラップ５４，５４を閉じることで形成された天面部５５と、長側面部５１，５１から延出する長側面部底面側フラップ５６，５６及び短側面部５２，５２から延出する短側面部底面側フラップ５７，５７を閉じることで形成された底面部と、を有する直六面体形状をなす。
【００３９】
天面部５５における長側面部天面側フラップ５３と短側面部天面側フラップ５４の閉じ順は、一般的な段ボール製の収納箱と同様に、短側面部天面側フラップ５４が先に閉じられ、その短側面部天面側フラップ５４上に重ねて長側面部天面側フラップ５３が閉じられる。底面部５８における長側面部底面側フラップ５６と短側面部底面側フラップ５７の閉じ順も、同様に短側面部底面側フラップ５７が先に閉じられ、その短側面部底面側フラップ５７上に重ねて長側面部底面側フラップ５６が閉じられる。
【００４０】
なお、本発明における天面部５５及び底面部５８は、天面部５５が必ず上方を向き、底面部５８が必ず下方を向いていなければならないわけではない。収納箱５０又は収納体１１の載置形態によって当然に天面部５５が側方を向く場合もあり、また、下方側を向く場合もある。
【００４１】
収納箱５０の原紙構成は、必ずしも限定されないが、外層・中層が１６０〜２１０ｇ／ｍ2、中芯が１２０〜２００ｇ／ｍ2であり、ティシュペーパー製品の収納に汎用的に用いられる規格の段ボール製の収納箱と同様の構成とすることができる。
【００４２】
本発明に係るフィルム包装ティシュー製品収納体１１は、この段ボール製の収納箱５０内にフィルム包装ティシュー製品１０が、整列に収納されている。収納箱５０の内寸は、整列形態のフィルム包装ティシュー製品１０の全体外寸とほぼ一致するように形成され、輸送時に収納箱５０内でフィルム包装ティシュー製品１０が崩れないようにされる。図示の形態は、天面部５５と底面部５８との間に三列、長側面部５１，５１間に二列、短側面部５２，５２間に二列の２×２×３の合計１２個のフィルム包装ティシューが整列されて配置されている。図３及び図４に示す形態の一般的なフィルム包装ティシューの製品をこの配置、つまり束３のティシュペーパー積層方向が、長側面部間方向となるようにして収納する場合には、収納箱５０の内寸は、幅４００〜６５０ｍｍ、奥行き３００〜４５０ｍｍ、高さ２５０〜５００ｍｍである。
【００４３】
ここで、本発明に係るフィルム包装ティシュー製品収納体１１においては、前記収納箱５０に開封を容易にするための易開封線４１，４２が設けられており、特徴的にその易開封線４１，４２として、前記短側面部天面側フラップ５４の端から短側面部を５２経て短側面部底面側フラップ５７の端に至る一対の第一易開封線４１及び、各短側面部天面側フラップ端５４，５４から各短側面部５２，５２を経て一方の長側面部５１において繋がる第二易開封線４２の少なくとも一方を有する。図９は、第一易開封線のみを有する収納箱、図１０は、第二易開封線のみを有する収納箱、図５は、第一開封線及び第二易開封線の双方を有する収納箱の各展開図である。
【００４４】
なお、易開封線とは、段ボール紙を意図した位置で裂開されやすくした線であり、ライナーカット、ミシン目、カットテープ等の公知の技術により形成することができる。短側面部天面側フラップ５４，５４、短側面部５２，５２、短側面部底面側フラップ５７，５７、一方の長側面部５１の各位置における易開封線４１，４２は、図示の形態のように直線的に配されるのが望ましい。連続的に裂開しやすくなる。但し、ライナーカット、ミシン目、カットテープ等の技術により連続的に裂開可能な範囲であれば曲線に配してもよい。
【００４５】
本発明に係るフィルム包装ティシュー製品収納体１１では、第一易開封線４１を裂開させると収納箱５０が長側面部５１，５１の間で二分されるようにして、図８に示すように、一方の長側面部５１が残り、他方の長側面部５１が取り除かれた開口部が形成されるように切り欠かれた形態となり、収納箱内に整列配置されたフィルム包装ティシュー製品１０，１０が整列状態のまま一部露出される。このとき、このとき、フィルム包装ティシュー製品１０のすべてではなく、一部のみが露出されるため整列形態が崩れ難く、この状態で店頭に置くことで簡易に製品陳列することができる。さらに、ガセット包装の取っ手部１９が長側面部５１に対向するようにしてフィルム包装ティシュー製品１０が収納箱５０内に収納されていると、開封によって各フィルム包装ティシュー製品１０の取っ手部１９が前面に並ぶようになるため、使用者がその取っ手部を引き出すことができ、例えば、露出されている前列のフィルム包装ティシュー製品１０が無くなった場合にも、残る収納箱内に位置するフィルム包装ティシュー製品１０を収納箱５０から引き出すことが容易となる。
【００４６】
さらに、本発明に係る第一易開封線４１においては、図示例のごとく、一対の第一易開封線４１の一方の短側面部５２に位置する部分に長側面部５２，５２に向かって凸となる摘み部を形成するのが望ましい。第一易開封線は、摘み部以外の部分がほぼ直線的に配されているため、摘み部５９を掴んで引き上げることで、ほぼ連続的にワンアクションで開封することができるようになる。
【００４７】
他方で、本発明に係るフィルム包装ティシュー製品収納体１１では、第二易開封線４２を裂開させると収納箱５０が一方の長側面部５２と天面部５８との間の稜線部分６０が短側面部５２，５２間において取り除かれた開口部が形成されるとともに、収納箱内に整列配置されたフィルム包装ティシュー製品１０の一部が露出される。このとき、第二易開封部４２の裂開では、短側面部５２の底面部側近傍が完全に残るためフィルム包装ティシュー製品１０のすべてではなく、一部のみが露出されるとともに、短側面部５２によるフィルム包装ティシュー製品１０の支持がされやすく整列形態が特に崩れ難い。第一易開封線４１と同様に、この状態で店頭に置くことで簡易に製品陳列することができる。また、ガセット包装の取っ手部１９が長側面部５２に対向するようにしてフィルム包装ティシュー製品１０が収納箱内に収納されていると、開封によって各フィルム包装ティシュー製品１０の取っ手１９が前面に並ぶようになるため、使用者がその取っ手部を引き出すことができ、例えば、露出されている前列のフィルム包装ティシュー製品１０が無くなった場合にも、残る収納箱内に位置するフィルム包装ティシュー製品１０を収納箱５０から引き出すことが容易となる。
【００４８】
また、第二易開封線４２においても、長側面部５１に位置する部分に、底面部５８側に向かって凸となる摘み部５９を形成するのがよい。第二易開封線４２も摘み部５９以外の部分がほぼ直線的に配されているため、摘み部５９を掴んで引き上げることで、ほぼ連続的にワンアクションで開封することができるようになる。
【００４９】
本発明に係るフィルム包装ティシュー製品収納体１１の特に好ましい形態は、図５及び図６に示す、収納箱５０に第一易開封線４１及び第二易開封線４２の双方が形成され、特に第一易開封線４１の短側面部天面側フラップ５４に位置する部分と前記第二易開封線４２における短側面部天面側フラップ５４に位置する部分とが、共通とされている形態である。第一易開封線４１及び第二易開封線４２との双方が設けられていることで、これらを選択的に裂開できるようになるとともに、易開封線を一部共通することで収納箱５０の強度低下が抑えられる。
【００５０】
また、この形態では図５に示すように第一易開封線４１の開封方向によって、残る範囲を選択できる。つまり、第一易開封線４１を第二易開封線４２側（矢印Ｐ）に引くと第二易開封線４２を含む範囲が、切り欠かれることになり、開封後に不要な第二易開封線４２が残らない。また、第二易開封線４２とは反対側（矢印Ｑ）に引くと、第二易開封線４２側（矢印Ｐ）に引く場合に比して第二易開封線４２が意図して裂開し難く、ワンアクションでの開封性に優れる。
【００５１】
また、このように第一易開封線４１と第二易開封線４２とを選択することができることで、店舗において、図８に示すように短側面部側を天底にして陳列する際と、天面部５５及び底面部５８を天底にして陳列する際とで、設置面積や設置幅が異なることになるため、店舗や陳列形態に応じて適宜に選択して陳列することが可能となる。
【００５２】
本発明に係る収納箱５０に形成された易開封線４１，４２の位置の具体例としては、上記寸法のフィルム包装ティシュー製品１０及び収納箱５０の場合であれば、第一易開封線４１は、展開状態において長側面部５１と短側面部５２との間の稜線（罫線）と平行であり、その稜線（罫線）から３０〜１４０ｍｍの範囲Ｌ１に設けるのが望ましい。なお、摘み部５９を設ける場合にも、この範囲内に収まるようにするのが望ましい。
【００５３】
第二易開封線４２は、展開状態において、長側面部５１に位置する部分は、長側面部５１と長側面部底面側フラップ５６との間の稜線（罫線）と平行であり、その稜線（罫線）から３０〜７０ｍｍの範囲Ｌ２に設けるのが望ましい。短側面部天面側フラップ５４に位置する部分は、第一易開封線４１と同様に、長側面部５２と短側面部５１との間の稜線（罫線）と平行であり、その稜線（罫線）から３０〜１４０ｍｍの範囲Ｌ１に設けるのが望ましい。
【００５４】
第一易開封性４１において稜線との間Ｌ２が３０ｍｍ未満であると開封後に、開封口側に露出するフィルム包装ティシュー製品１０よりも奥側にある製品が取り出しがたくなる。また、第二易開封線４１において稜線との間Ｌ１が３０ｍｍ未満となると整列配置されたフィルム包装ティシュー製品を支持することが困難となる。また、上限値を第一易開封線４１において７０ｍｍ、第二易開封線４２において１４０ｍｍとしているのは、この上限値を超えると開封後にフィルム包装ティシュー製品１０の露出する範囲が減り、目視性が悪化し、商品陳列性の点で望ましくないからである。
【符号の説明】
【００５５】
１・・・フィルム包装ティシュー、２…ティシュペーパー、２Ａ…折り返した内側、２Ｂ…折り返した片、２Ｃ…折り返し縁、３…ティシュペーパー束、３Ａ…短手側面、３Ｂ…長手側面、３Ｃ…平面（上下面）、４…包装フィルム、４Ｃ…包装フィルムの台形の片、５…開封用ミシン目、１０…フィルム包装ティシュー製品、１１…フィルム包装ティシュー製品収納体、１６…ガセットマチ部分、１７…ガセット封止部、１９…取っ手部、１８…ガセット包装フィルム、５０…収納箱、５１…長側面部、５２…短側面部、５３…長側面部天面側フラップ、５４…短側面部天面側フラップ、５５…天面部、５６…長側面部底面側フラップ、５７…短側面部底面側フラップ、５８…底面部、５９…摘み部、Ｌ１…第一易開封線の稜線からの距離、Ｌ２…第二易開封線の稜線からの距離、４１…第一易開封線、４２…第二易開封線、６０…一方の長側面部５２と天面部５８との間の稜線部分。
【図１】
2020059529.tif 000003
【図２】
2020059529.tif 000004
【図３】
2020059529.tif 000005
【図４】
2020059529.tif 000006
【図５】
2020059529.tif 000007
【図６】
2020059529.tif 000008
【図７】
2020059529.tif 000009
【図８】
2020059529.tif 000010
【図９】
2020059529.tif 000011
【図１０】
2020059529.tif 000012